(57)【要約】【課題】扉の開閉とは関係なく野菜収納ケースを出し入れするタイプにおける野菜乾燥防止構成を提供する。【解決手段】扉１１１の開閉とは独立して出し入れする収納ケース１１２を備え、収納ケースの直上に位置する棚板１０７はその後方端縁を棚板支持部１１５に挿入して固定するとともに、前方端縁には前記収納ケースの前部開口縁に圧接するパッキン１１６を装着して前記収納ケースの前部開口縁を閉塞し、前記棚板前方端縁と扉との間を流れる冷気の収納ケース内への侵入を防止する構成としてある。これにより、扉の開閉とは関係なく収納ケースを出し入れする際に、収納ケースの前後方向の位置が一定せず前後方向に若干ずれて収納ケース直上の棚板前端縁との間に生じやすい隙間をシールして収納ケース内への冷気の出入りを防止し、野菜の乾燥を防止できる。【選択図】図４
2013190135.tif 000002
【特許請求の範囲】
【請求項１】
上下方向に複数の棚板を配置した貯蔵室を有する冷蔵庫本体と、上記冷蔵庫本体の棚板の下部に引出自在に配置した収納ケースと、上記収納ケースの底面を載置する載置板と、前記貯蔵室を開閉する如くその一端部を前記冷蔵庫本体に回転自在に取り付けた扉とを備え、前記扉の開閉とは独立して前記収納ケースを出し入れするようにした冷蔵庫であって、前記収納ケースの直上に位置する棚板はその後方端縁を棚板支持部に挿入して固定するとともに、前方端縁には前記収納ケースの前部開口縁に圧接するパッキンを装着して前記収納ケースの前部開口縁を閉塞し、前記棚板前方端縁と扉との間を流れる冷気が棚板前方端縁と収納ケース前部開口縁との間から収納ケース内へ侵入するのを防止する冷蔵庫。
【請求項２】
棚板の前方端縁にはパッキン装着部を設けるとともに、このパッキン装着部に装着するパッキンには収納ケースの前部開口縁内面に接する円弧状リップ部を設けて収納ケースの開口縁内面との間でシールを行う請求項１記載の冷蔵庫。
【請求項３】
棚板は貯蔵室の後部に形成した圧縮機設置用段部に接触するようその後方端縁を棚板支持部によって下向きに押しつけ固定した請求項１または２記載の冷蔵庫。
【請求項４】
収納ケースの直上に位置する棚板の上部に位置する棚板は前後方向で分割可能に構成し、前側棚板部を後方へずらせて収納ケースの直上に位置する棚板の前方上方を開放状態可能とした請求項１〜３のいずれか１項記載の冷蔵庫。
【発明の詳細な説明】
【技術分野】
【０００１】
本発明は冷蔵庫に関し、特に野菜室のシール構成に関するものである。
【背景技術】
【０００２】
一般にこの種の冷蔵庫で野菜室を設けたものは、野菜の乾燥を防止するために、例えば野菜収納ケースの外周部に冷気を流して野菜ケース内の野菜を間接的に冷却するようにしてある（例えば、特許文献１参照）。
【０００３】
図７は上記特許文献１に記載された冷蔵庫を示し、野菜室４には貯蔵容器１１が設けられ、この貯蔵容器１１は野菜室４の前面開口を開閉する引出扉１０に取り付けられている。そして、上記引出扉１０を引き出すことによって貯蔵容器１１も引き出され、野菜の出し入れができるようになっており、冷気は前記貯蔵容器１１の外周を流れて内部の野菜を冷却するようになっている。そして、貯蔵容器１１内に冷気が出入りして野菜を乾燥させないように蓋１８を設けたり、補助容器１４と貯蔵容器１１との間にシールパッキン１７を設けて構成してある。
【先行技術文献】
【特許文献】
【０００４】
【特許文献１】特開平３−１８１７６５号公報
【発明の概要】
【発明が解決しようとする課題】
【０００５】
上記従来の構成によれば、貯蔵容器１１内への冷気の出入りを防止できるので、野菜の乾燥を防止できるが、この構成によれば野菜取り出し時に貯蔵容器１１の蓋１８を着脱しなければならず、使い勝手が悪いという課題があった。また、この構成は引出扉１０の開閉と連動して貯蔵容器１１が引き出される場合を示しているが、扉と貯蔵容器とが連動しておらず扉は扉単独で開閉し、この扉の開閉とは独立して貯蔵容器を出し入れする場合の、当該貯蔵容器内への冷気の出入りを防止する構成については全く配慮されていないし、そのような構成は過去に提示されていなかった。
【０００６】
本発明はこのような点に鑑みてなしたもので、扉の開閉とは関係なく野菜収納ケースを出し入れするタイプにおける野菜乾燥防止構成を提供するものである。
【課題を解決するための手段】
【０００７】
本発明は上記目的を達成するため、上下方向に複数の棚板を配置した貯蔵室を有する冷蔵庫本体と、上記冷蔵庫本体の棚板の下部に引出自在に配置した収納ケースと、上記収納ケースの底面を載置する載置板と、前記貯蔵室を開閉する如くその一端部を前記冷蔵庫本体に回転自在に取り付けた扉とを備え、前記扉の開閉とは独立して前記収納ケースを出し入れするようにした冷蔵庫であって、前記収納ケースの直上に位置する棚板はその後方端縁を棚板支持部に挿入して固定するとともに、前方端縁には前記収納ケースの前部開口縁に圧接するパッキンを装着して前記収納ケースの前部開口縁を閉塞し、前記棚板前方端縁と扉との間を流れる冷気が棚板前方端縁と収納ケース前部開口縁との間から収納ケース内へ侵入するのを防止する構成としてある。
【０００８】
これにより、扉の開閉とは関係なく収納ケースを出し入れするタイプ特有の隙間、すなわち、収納ケースの出し入れが使用者の感覚によるため当該収納ケースの前後方向の位置が常に一定せず、前後方向に若干ずれて収納ケース直上の棚板前端縁との間に生じやすい
隙間をシールして、収納ケース内への冷気の出入りを防止することができる。
【発明の効果】
【０００９】
本発明は、扉開閉と関係なく収納ケースを出し入れするタイプであっても当該収納ケース内への冷気の出入りを防止することができ、野菜の乾燥を防止することができる。
【図面の簡単な説明】
【００１０】
【図１】本発明の実施の形態１における冷蔵庫の正面図
【図２】同冷蔵庫の断面図
【図３】同冷蔵庫の野菜室部分を示す拡大断面図
【図４】同冷蔵庫の野菜室部分の要部拡大断面図
【図５】同冷蔵庫の野菜室部分を示す斜視図
【図６】同冷蔵庫の野菜室部分の他の使用例を示す斜視図
【図７】従来の冷蔵庫を示す断面図
【発明を実施するための形態】
【００１１】
第１の発明は、上下方向に複数の棚板を配置した貯蔵室を有する冷蔵庫本体と、上記冷蔵庫本体の棚板の下部に引出自在に配置した収納ケースと、上記収納ケースの底面を載置する載置板と、前記貯蔵室を開閉する如くその一端部を前記冷蔵庫本体に回転自在に取り付けた扉とを備え、前記扉の開閉とは独立して前記収納ケースを出し入れするようにした冷蔵庫であって、前記収納ケースの直上に位置する棚板はその後方端縁を棚板支持部に挿入して固定するとともに、前方端縁には前記収納ケースの前部開口縁に圧接するパッキンを装着して前記収納ケースの前部開口縁を閉塞し、前記棚板前方端縁と扉との間を流れる冷気が棚板前方端縁と収納ケース前部開口縁との間から収納ケース内へ侵入するのを防止する構成としてある。
【００１２】
これにより、扉の開閉とは関係なく収納ケースを出し入れするタイプ特有の隙間、すなわち、収納ケースの出し入れが使用者の感覚によるため当該収納ケースの前後方向の位置が常に一定せず、前後方向に若干ずれて収納ケース直上の棚板前端縁との間に生じやすい隙間をシールして、収納ケース内への冷気の出入りを防止することができ、野菜の乾燥を防止することができる。
【００１３】
第２の発明は、棚板の前方端縁にはパッキン装着部を設けるとともに、このパッキン装着部に装着するパッキンには収納ケースの前部開口縁内面に接する円弧状リップ部を設けて収納ケースの開口縁内面との間でシールを行う構成としてある。
【００１４】
これにより、収納ケースが前後方向に若干ずれても棚板前方端縁と収納ケース前部開口縁との間、すなわち前記両者の前後方向に位置しているパッキンがこれを吸収して確実なシールが期待でき、野菜の乾燥防止をより確実に行うことができる。加えて、上記パッキンのリップ部が収納ケース出し入れ時の摺動抵抗になったり、収納ケース出し入れによって劣化することがなくなり、長期間にわたって良好なシール性を発揮し野菜乾燥を防止できる。
【００１５】
第３の発明は、第１または第２の発明において、棚板は貯蔵室の後部に形成した圧縮機設置用段部に接触するようその後方端縁を棚板支持部によって下向きに押しつけ固定した構成としてある。
【００１６】
これにより、貯蔵室の背壁面に沿って流下してくる冷気が収納ケースの後部から出入りすることがなくなり、この部分での冷気の出入りを防止するためのシール部材を必要とせず、構成の簡素が図れる。
【００１７】
第４の発明は、第１〜第３の発明において、収納ケースの直上に位置する棚板の上部に位置する棚板は前後方向で分割可能に構成し、前側棚板部を後方へずらせて収納ケースの直上に位置する棚板の前方上方を開放状態可能とした構成としてある。
【００１８】
これにより、収納ケースの直上に位置する棚板を長さの長い収納物、例えばビン類の収納物、或いは乾燥を気にしない野菜とビン類の収納棚としても活用することができ、使い勝手が向上する。
【００１９】
以下、本発明の実施の形態について、図面を参照しながら説明する。なお、この実施の形態によって本発明が限定されるものではない。
【００２０】
（実施の形態１）
図１は本発明の実施の形態１における冷蔵庫の正面図、図２は同冷蔵庫の断面図、図３は同冷蔵庫の野菜室部分を示す拡大断面図、図４は同冷蔵庫の野菜室部分の要部拡大断面図、図５は同冷蔵庫の野菜室部分を示す斜視図、図６は同冷蔵庫の野菜室部分の他の使用例を示す斜視図である。
【００２１】
図１〜図６において、この冷蔵庫は冷蔵庫１００の内方と外方とを断熱状態で隔てる冷蔵庫本体１０１内に複数に区画した貯蔵室を備えている。この実施の形態の場合は二つの貯蔵室に区画してあり、上部の貯蔵室１０２は冷凍室、下部の貯蔵室１０３は複数の棚板１０４，１０５，１０６，１０７を有し、その機能（冷却温度）によって冷蔵室１０８、野菜室１０９等と区別して称している。
【００２２】
上記冷蔵室１０８は食品が凍らない程度の温度、通常１℃〜５℃程度に設定してあり、更に野菜室１０９はそれと同等もしくは若干高めに設定してある。具体的には２℃〜７℃であるが、低温にするほど野菜の鮮度を長期間維持することが可能となる。
【００２３】
前記冷蔵庫本体１０１は金属製の外箱１０１ａと樹脂製の内箱１０１ｂとの間に例えば硬質発泡ウレタン等の断熱材１０１ｃを充填して構成してあり、外方の大気から冷蔵庫本体１０１の内方に流入しようとする熱を遮断する機能を有している。
【００２４】
また、この冷蔵庫１００は前記冷凍室となる貯蔵室１０２を開閉する第１扉１１０と、冷蔵室１０８、野菜室１０９となる貯蔵室１０３を開閉する第２扉１１１を備え、これら各扉１１０，１１１は例えば右側端部を冷蔵庫本体１０１に回転自在に取り付けてあり、ウレタンのような発泡断熱材を発泡充填して構成してある。
【００２５】
前記第２扉１１１によって開閉される貯蔵室１０３の最下部が野菜室１０９となっており、この野菜室１０９には樹脂製の収納ケース１１２が配置してある。この収納ケース１１２は貯蔵室１０３の底面を形成する載置板１１４に載置してあり、第２扉１１１を開いて出し入れ自在としてある。なお、この載置板１１４は図５に示すように前後方向に複数の凹部１１３が形成してあり、収納ケース１１２前面と第２扉１１１との間を流下してくる冷気が収納ケース１１２の底面を経由して後述する冷却器へと流れるようにしてある。
【００２６】
ここで、上記収納ケース１１２直上の棚板１０７は図３に示すように上面を開口した薄箱状に形成してあり、その後方端縁を貯蔵室１０３の内壁面に設けた棚板支持部１１５に挿入して固定してある。
【００２７】
また、上記棚板１０７は図４に示すようにその前方端縁下部にかぎ状部１０７ｃを形成してパッキン１１６を装着し、当該パッキン１１６の前端に前向き円弧状に形成したリッ
プ部１１６ａが形成してある。このパッキン１１６のリップ部１１６ａが前記収納ケース１１２の前部開口縁に接して、収納ケース１１２の前部開口縁との間の隙間をシールする。
【００２８】
すなわち、上記リップ部１１６ａは収納ケース１１２の開口縁部内面と対向していて、収納ケース１１２の出し入れ方向、すなわち前後方向で収納ケース１１２の開口縁部との間のシールを行うようにしてある。
【００２９】
なお、前記棚板１０７の左右両端部は貯蔵室１０３の内面とほぼ接していて、冷気の流れは生じないようになっている。また、前記棚板１０７の後部は貯蔵室１０３の後部に形成した圧縮機設置用段部１０３ａに接触するようにその後方端縁を棚板支持部１１５によって下向きに押しつけ固定されている。
【００３０】
また、上記棚板１０７の上部に位置する棚板１０６は前後方向で分割可能な構成とし、前側棚板部１０６ａを後側棚板部１０６ｂの下方にずらせて支持させ、棚板１０７の前方上方を開放状態とすることができるようにしてある。
【００３１】
以上のように構成した冷蔵庫について、以下その動作、作用を説明する。
【００３２】
まず、冷凍室１０２の背部に配置した冷却器室の冷却器１２０で熱交換した冷気は送風機（図示せず）の運転によって冷凍室１０２に吐出するとともに、ダクト１２１を介して貯蔵室１０３の上部に吐出する。貯蔵室１０３の上部に出した冷気は冷蔵室１０８の各棚板１０４，１０５，１０６の後方端隙間と前方空間部を介して野菜室１０９へと流れ、冷蔵室１０８内の食品を冷却する。
【００３３】
野菜室１０９へと流れる冷気は収納ケース１１２直上の棚板１０７によって収納ケース１１２の上部開口がふさがれているので棚板１０７前方端へと流れ、棚板前方端縁と第２扉１１１内面との間の隙間から収納ケース１１２の前面下側へ流動し、収納ケース１１２の底部を経て野菜室１０９の収納ケース１１２背面上部に設けた吸込口（図示せず）より冷却器１２０へと戻り再び熱交換される。
【００３４】
ここで、野菜室１０９へと流れ込む冷気は、収納ケース１１２の上部開口が棚板１０７によって覆われ、かつ、棚板１０７の前方端縁と収納ケース１１２の前部端縁との間がパッキン１１６のリップ部１１６ａによってシールされているので、棚板前方端縁と収納ケース前部開口縁との間から収納ケース１１２内に出入りすることはなく、収納ケース１１２の前面、底面、後面を流れて内部に収納された野菜を冷却する。したがって、収納ケース１１２内を冷気が流れることによって生じる野菜の乾燥は防止することができる。
【００３５】
特に、上記パッキン１１６は収納ケース１１２の前後方向、すなわち収納ケース１１２の出し入れ方向で棚板１０７前方端縁と収納ケース１１２前部端縁との間をシールしているので、扉の閉成によって収納ケース位置が設計通りの位置に規制される扉引出連動タイプと異なり、第２扉１１１の開閉とは関係なく収納ケース１１２を出し入れするタイプであって、収納ケース１１２の収納位置が前後方向で若干位置ずれしていても、これらの間を確実にシールすることができ、収納ケース１１２内への冷気の出入りを確実に防止することができる。
【００３６】
また、棚板１０７の前方端縁に設けたパッキン１１６のリップ部１１６ａは収納ケース１１２の前部開口縁内面に接する構成としてあるから、収納ケース１１２を出し入れする際に上記リップ部１１６ａが収納ケース１１２開口上端縁に接することがない。よって、収納ケース１１２の出し入れ時の抵抗になることがなく、収納ケース１１２の出し入れ力
が軽減できると同時にリップ部１１６ａの弾性力が劣化することもなく、長期間にわたって良好なシール性を確保することができる。
【００３７】
また、上記収納ケース１１２の上部開口を覆う棚板１０７は棚板支持部１１５によって固定してあるから、収納ケース１１２を引き出すことによって当該収納ケース１１２の上部開口は開放されることになり、蓋などを着脱するような事をすることなく野菜の出し入れをすることができ、使用性が向上する。
【００３８】
更に上記棚板１０７の後部は貯蔵室１０３の後部に形成した圧縮機設置用段部１０３ａに接触するようにその後方端縁を棚板支持部１１５によって下向きに押しつけ固定してあるので、冷蔵室１０８の背壁面に沿って流下してくる冷気の収納ケース１１２内への出入りを防止するためのシール部材を必要とせず、構成の簡素が図れる。
【００３９】
加えて、この実施の形態では、収納ケース１１２の直上に位置する棚板１０７の上部に位置する棚板１０６は前後方向で分割可能に構成し、前側棚板部１０６ａを後側棚板部１０６ｂの下方にずらせて支持させて棚板１０７の前方上方を開放させることができる。この様な状態にすると、棚板１０７を長さの長い収納物、例えばビン類の収納物、或いは乾燥を気にしない野菜とビン類の貯蔵棚として活用することができるようになり、使い勝手が向上する。
【００４０】
なお、上記実施の形態は本発明を実施するうえでの一例として示したものであり、本発明の目的を達成する範囲内で種々変更可能であることは言うまでもない。
【産業上の利用可能性】
【００４１】
以上のように本発明は、扉開閉と関係なく収納ケースを出し入れするタイプであっても当該収納ケース内への冷気の出入りを防止することができて、野菜の乾燥を防止でき、一般用はもちろん業務用の冷蔵庫へも幅広く適用できる。
【符号の説明】
【００４２】
１００  冷蔵庫
１０１  冷蔵庫本体
１０２  冷凍室（貯蔵室）
１０３  貯蔵室
１０４，１０５，１０６，１０７  棚板
１０６ａ  前側棚板部
１０６ｂ  後側棚板部
１０８  冷蔵室（貯蔵室）
１０９  野菜室（貯蔵室）
１１０  第１扉
１１１  第２扉
１１２  収納ケース
１１３  凹部
１１４  載置板
１１５  棚板支持部
１１６  パッキン
１１６ａ  リップ部
１２０  冷却器
１２１  ダクト
【図１】
2013190135.tif 000003
【図２】
2013190135.tif 000004
【図３】
2013190135.tif 000005
【図４】
2013190135.tif 000006
【図５】
2013190135.tif 000007
【図６】
2013190135.tif 000008
【図７】
2013190135.tif 000009